(57)【要約】【課題】ユーザが所望するアプリケーションを短時間で起動可能な携帯端末を提供すること。【解決手段】携帯端末は、筺体と、入力部と、入力部に入力される操作に基づいて被検体の認証を行う認証部と、筺体の姿勢を検出する姿勢検出部とを備え、認証部において被検体の認証が成功した場合に、姿勢検出部が検出した筐体の姿勢に対応するアプリケーションを起動する。【選択図】図２
2013232816.tif 000002
【特許請求の範囲】
【請求項１】
筺体と、
入力部と、
前記入力部に入力される操作に基づいて、被検体の認証を行う認証部と、
前記筺体の姿勢を検出する姿勢検出部と、を備え、
前記認証部において被検体の認証が成功した場合に、前記姿勢検出部が検出した前記筐体の姿勢に対応するアプリケーションを起動する、
携帯端末。
【請求項２】
請求項１に記載の携帯端末であって、
前記姿勢検出部は、３次元の空間座標系における各軸を中心とした前記携帯端末の回転状態に基づいて、前記筐体の姿勢を検出する、
携帯端末。
【請求項３】
請求項２に記載の携帯端末であって、
前記３次元の空間座標系は直交座標系であり、
前記姿勢検出部は、前記３次元の直交座標系における少なくとも２つの軸を中心とした前記携帯端末の回転状態に基づいて、前記筐体の姿勢を検出する、
携帯端末。
【発明の詳細な説明】
【技術分野】
【０００１】
本発明は、被検体の認証が成功すると所定のアプリケーションを起動する携帯端末に関する。
【背景技術】
【０００２】
携帯電話、携帯端末、スマートフォン又は携帯ゲーム機等の携帯可能な電子機器の一部には、被検体（subject）の認証を行う個人認証機能を有しているものがある。例えば、特許文献１に記載の携帯電話装置は、生体情報により測定対象者を特定する個人認証機能と、個人認証機能により測定対象者を特定できた場合に自動的に起動され、脈拍、血圧、体温のうちいずれか選択設定された項目の測定を行う健康測定機能とを備える。また、特許文献２に記載のサービス提供システムは、可搬記録媒体のリーダライタへのかざし方如何により、本人認証を含む各種サービスのうち、所望のサービスの実施を指定する。
【先行技術文献】
【特許文献】
【０００３】
【特許文献１】特開２００７−３２５８４２号公報
【特許文献２】特開２０１０−０１５４１５号公報
【発明の概要】
【発明が解決しようとする課題】
【０００４】
個人認証機能は、例えば電子機器が画面ロック状態のとき、ユーザが当該状態を解除するときに利用される。ユーザがこの電子機器を操作して所望のアプリケーションを起動するには、まず個人認証を行った上で画面ロック状態を解除して、所望のアプリケーションのアイコンを探す必要がある。このように、所望のアプリケーションを起動するためにはユーザが複数の操作を行う必要があるため時間がかかる。
【０００５】
本発明の目的は、ユーザが所望するアプリケーションを短時間で起動可能な携帯端末を提供することである。
【課題を解決するための手段】
【０００６】
本発明の携帯端末は、筺体と、入力部と、前記入力部に入力される操作に基づいて、被検体の認証を行う認証部と、前記筺体の姿勢を検出する姿勢検出部と、を備え、前記認証部において被検体の認証が成功した場合に、前記姿勢検出部が検出した前記筐体の姿勢に対応するアプリケーションを起動する。
この構成により、被検体の認証成功に続いて起動したいアプリケーションがあれば、ユーザがそのアプリケーションに対応する姿勢となるよう携帯端末を傾けた状態で、認証部による認証のための操作を行う。このとき、ユーザが所望するアプリケーションは、ユーザによるそのための操作がなくても起動する。したがって、ユーザが所望するアプリケーションは、被検体の認証が成功すると短時間で起動される。
【０００７】
また、本発明の携帯端末は、前記姿勢検出部は、３次元の空間座標系における各軸を中心とした前記携帯端末の回転状態に基づいて、前記筐体の姿勢を検出する。
【０００８】
また、本発明の携帯端末は、前記３次元の空間座標系は直交座標系であり、前記姿勢検出部は、前記３次元の直交座標系における少なくとも２つの軸を中心とした前記携帯端末の回転状態に基づいて、前記筐体の姿勢を検出する。
【発明の効果】
【０００９】
本発明に係る携帯端末によれば、ユーザが所望するアプリケーションを短時間で起動できる。
【図面の簡単な説明】
【００１０】
【図１】一実施形態の携帯端末をユーザが手で持った状態を示す図
【図２】図１に示した携帯端末１００の内部構成を示すブロック図
【図３】携帯端末１００の筐体５１と３次元の直交座標系の基準関係を示す図
【図４】（ａ）〜（ｄ）は、携帯端末１００の筐体５１の姿勢の例を示す図
【図５】一実施形態の携帯端末１００の動作を示すフローチャート
【図６】一実施形態の携帯端末１００の動作を示すフローチャート
【発明を実施するための形態】
【００１１】
以下、本発明の実施形態について、図面を参照して説明する。
【００１２】
図１は、一実施形態の携帯端末をユーザが手で持った状態を示す図である。携帯端末１００は、筐体５１の前面にディスプレイ５３を有する。携帯端末１００のディスプレイ５３にはタッチパネルが重ねて配置されている。携帯端末１００は、図１に示すようにユーザが手で保持した状態、又は机等に置かれた状態で利用される。
【００１３】
図２は、図１に示した携帯端末１００の内部構成を示すブロック図である。図２に示すように、携帯端末１００は、認証部１０１と、入力部１０３と、姿勢検出部１０５と、制御部１０７と、メモリ１０９とを備える。姿勢検出部１０５は、姿勢測定部１１１及び姿勢判断部１１３を有する。
【００１４】
認証部１０１は、携帯端末１００を保持するユーザ（以下「被検体」という）の手を透過した所定の周波数帯の信号から、被検体のインピーダンス特性を判別し、当該判別した被検体のインピーダンス特性に基づいて個人認証の処理を行う。認証部１０１が当該インピーダンス特性による個人認証を行う場合、入力部１０３には、被検体の手を透過した信号が入力される。なお、被検体の手を透過する信号は、図示しない発信機又は電極から発信される。
【００１５】
なお、認証部１０１による認証方式は、上記説明したインピーダンス特性による認証に限らず、被検体の指紋、手のひらの静脈パターン、顔画像又は声等を用いた生体認証であっても良い。この場合、入力部１０３は認証方式に応じた入力部となり、認証部１０１による認証方式に応じたデータが、携帯端末１００のユーザによって入力される。
【００１６】
姿勢検出部１０５は、携帯端末１００の姿勢を検出する。姿勢検出部１０５が有する姿勢測定部１１１は、加速度センサ又はジャイロスコープ等である。姿勢測定部１１１は、図３に示した携帯端末１００の筐体５１と３次元の直交座標系の関係を基準に、３次元の直交座標系における各軸を中心とした、携帯端末１００の筐体５１の各回転角度を測定する。なお、図３に示した直交座標系におけるＸ軸を中心とした回転角度を「ピッチ角」といい、Ｙ軸を中心とした回転角度を「ロール角」といい、Ｚ軸を中心とした回転角度を「アジマス角」という。姿勢検出部１０５が有する姿勢判断部１１３は、姿勢測定部１１１が測定した各回転角度に基づいて、携帯端末１００の筐体５１の姿勢を判断する。
【００１７】
図４（ａ）〜（ｄ）は、携帯端末１００の筐体５１の姿勢の例を示す図である。図４（ａ）の例は、ピッチ角が１５度、ロール角が０度、アジマス角が０度である携帯端末１００の姿勢を示す。図４（ｂ）の例は、ピッチ角が１５度、ロール角が０度、アジマス角が９０度である携帯端末１００の姿勢を示す。図４（ｃ）の例は、ピッチ角が０度、ロール角が０度、アジマス角が９０度である携帯端末１００の姿勢を示す。図４（ｄ）の例は、ピッチ角が９０度、ロール角が０度、アジマス角が０度である携帯端末１００の姿勢を示す。
【００１８】
なお、姿勢測定部１１１は、ピッチ角及びアジマス角のみを測定し、ロール角を測定しなくても良い。この場合、姿勢判断部１１３は、姿勢測定部１１１が測定したピッチ角及びアジマス角に基づいて、携帯端末１００の筐体５１の姿勢を判断する。
【００１９】
制御部１０７は、認証部１０１による個人認証が成功すると、このとき姿勢検出部１０５が検出した携帯端末１００の姿勢に応じたアプリケーションを起動する。なお、個人認証の成功とは、入力部１０３に入力された情報が、携帯端末１００に予め登録された個人の生体情報に一致することである。制御部１０７は、認証部１０１による個人認証が失敗しても、３回までは認証部１０１による個人認証の処理を許可する。
【００２０】
メモリ１０９は、携帯端末１００の各姿勢と、その姿勢のとき起動するアプリケーションとが対応したテーブルを記憶する。なお、メモリ１０９のテーブルを構成する携帯端末１００の姿勢は、上述したピッチ角、ロール角及びアジマス角によって表される。
【００２１】
制御部１０７は、メモリ１０９に格納されたテーブルを参照して、携帯端末１００の姿勢に対応するアプリケーションを起動する。例えば、図４（ａ）の姿勢のとき個人認証が成功すると、制御部１０７はメールソフトを起動する。また、図４（ｂ）の姿勢のとき個人認証が成功すると、制御部１０７はブラウザを起動する。また、図４（ｃ）の姿勢のとき個人認証が成功すると、制御部１０７はカメラを起動する。さらに、図４（ｄ）の姿勢のとき個人認証が成功すると、制御部１０７は音楽プレーヤを起動する。
【００２２】
なお、メモリ１０９に格納されたテーブルと姿勢検出部１０５が検出した携帯端末１００の姿勢は正確に一致している必要はなく、姿勢検出部１０５が検出した携帯端末１００の姿勢±数度の値がメモリ１０９に格納されたテーブルの値が一致すればよい。上記の数度は、自由に設定できる。
また、制御部１０７は、姿勢検出部１０５が検出した携帯端末１００の姿勢がメモリ１０９のテーブルに登録されていなければ、携帯端末１００のディスプレイ５３にメニュー画面を表示するよう処理する。
【００２３】
図５及び図６は、一実施形態の携帯端末１００の動作を示すフローチャートである。図５に示すように、制御部１０７は、携帯端末１００の電源ボタン等の特定のボタンが押されたかを判断し（ステップＳ１０１）、特定のボタンが押されればステップＳ１０３に進む。ステップＳ１０３では、携帯端末１００が誤操作を防止するための画面ロック状態か否かを判断し、画面ロック状態でなければステップＳ１０５に進む。ステップＳ１０５では、制御部１０７は、携帯端末１００を画面ロック状態に設定する。
【００２４】
一方、ステップＳ１０３において画面ロック状態であると判断されれば、ステップＳ１１１及びステップＳ１２１に進む。ステップＳ１１１では、姿勢検出部１０５が携帯端末１００の姿勢を検出し、筐体５１の姿勢を判断する。また、ステップＳ１２１では、制御部１０７は、画面ロック状態において認証部１０１が個人認証の処理を行った回数（以下「認証回数」という）を初期化する。すなわち、制御部１０７は、認証回数を０に設定する。次に、制御部１０７は、認証回数が３以下であるか否かを判断し（ステップＳ１２３）、認証回数が３以下（認証回数≦３）であればステップＳ１２５に進み、認証回数が３より大きい（認証回数＞３）場合はステップＳ１３１に進む。
【００２５】
ステップＳ１３１では、制御部１０７は、認証部１０１による個人認証が３回連続して失敗したため、携帯端末１００のディスプレイ５３に認証不一致の表示を行うよう処理する。一方、ステップＳ１２５では、認証部１０１は、入力部１０３に入力された情報から個人認証の処理を行う。次に、制御部１０７は、認証回数をインクリメントする（ステップＳ１２７）。次に、制御部１０７は、認証部１０１による個人認証が成功したかを判断し（ステップＳ１２９）、成功した場合は図６に示すステップＳ１４１に進み、失敗した場合はステップＳ１２３に戻る。
【００２６】
ステップＳ１４１では、制御部１０７は、携帯端末１００の画面ロック状態を解除する。次に、制御部１０７は、ステップＳ１１１で姿勢検出部１０５が検出した携帯端末１００の姿勢がメモリ１０９のテーブルに登録されているかを判断し（ステップＳ１４３）、登録されていればステップＳ１４５に進み、登録されていなければステップＳ１４７に進む。ステップＳ１４５では、制御部１０７は、メモリ１０９に格納されたテーブルを参照して、携帯端末１００の姿勢に対応するアプリケーションを起動する。一方、ステップＳ１４７では、制御部１０７は、携帯端末１００のディスプレイ５３にメニュー画面を表示するよう処理する。
【００２７】
以上説明したように、本実施形態では、ユーザが携帯端末１００の画面ロック状態を解除する際、当該ユーザが画面ロック状態の解除に続いて起動したいアプリケーションがあれば、ユーザは、そのアプリケーションに対応する姿勢となるよう携帯端末１００を傾けた状態で、個人認証のための操作を行う。このとき、ユーザが所望するアプリケーションは、ユーザによるそのための操作がなくても起動する。したがって、ユーザが所望するアプリケーションは、ユーザが複数の操作を行わなくても、画面ロック状態の解除から短時間で起動される。また、複数のアプリケーションを異なる姿勢に対応付けておけば、ユーザが個人認証のための操作を行うときの携帯端末１００の姿勢を変えれば、その姿勢に応じたアプリケーションを起動できる。
【産業上の利用可能性】
【００２８】
本発明に係る携帯端末は、ユーザが所望するアプリケーションを短時間で起動する携帯端末等として有用である。
【符号の説明】
【００２９】
１００  携帯端末
５１  筐体
５３  ディスプレイ
１０１  認証部
１０３  入力部
１０５  姿勢検出部
１０７  制御部
１０９  メモリ
１１１  姿勢測定部
１１３  姿勢判断部
【図１】
2013232816.tif 000003
【図２】
2013232816.tif 000004
【図３】
2013232816.tif 000005
【図４】
2013232816.tif 000006
【図５】
2013232816.tif 000007
【図６】
2013232816.tif 000008